(57)【要約】      （修正有）【課題】陶器、磁器、ガラス及び合成樹脂製の非弾性、または微弾性の容器、食器への宝飾品の取付構造及び取付方法を提供する。【解決手段】陶器、磁器、ガラス、合成樹脂製等の非弾性、または、微弾性の容器、または食器に対し、その底面または壁面に、予め焼成前に開口を設け、取付開孔を焼成し、宝飾品を保持した取付手段を挿入し、接着等の接合手段により取付ることを特徴とする宝飾品の取付構造及び取付方法。【選択図】図１
0003122870.tif 000002
【実用新案登録請求の範囲】
【請求項１】
陶器、磁器、ガラス、合成樹脂製等の非弾性、または、微弾性の容器、または食器に対し、その底面または壁面に、予め焼成前に開孔を設けて取付開孔を焼成するか、またはドリル、レーザ等の機械的開孔方法により取付開孔を設け、該取付開孔に宝飾品を保持した取付手段を挿入し、該取付開孔の内壁面と、取付手段の外周面との間を接着、またはゴム板、合成樹脂のテープ等の摩擦接合を併用した接合手段、またはネジ止め、噛合い爪による機械的接合等の手段により取付ることを特徴とする宝飾品の取付構造。
【請求項２】
陶器、磁器、ガラス、合成樹脂製等の非弾性、または、微弾性の容器、または食器に対し、その底面または壁面に、第１工程として、予め焼成前に開孔を設けて取付開孔を焼成する方法、またはドリル、レーザ等の機械的開孔方法により取付開孔を設け、
第２工程として、該取付開孔の内壁面と、取付手段の外周面との間を接着、またはゴム板、合成樹脂のテープ等の摩擦接合を併用した接合方法、またはネジ止め、噛合い爪による機械的接合方法により接合し、
第３工程として宝飾品を保持した取付手段の側面部が、取付開孔３に嵌めこまれ接合されることを特徴とする宝飾品の取付方法。
【請求項３】
前記容器または食器が、白磁、青磁製の磁器、陶器、またはガラスであり、宝飾品がダイヤモンド、ルビー、サファイア、エメラルド等の宝石、または人造宝石や、真珠等の一般宝飾品として用いられるものであることを特徴とする請求項１記載の宝飾品の取付構造。
【請求項４】
前記取付手段の対向部に、装飾蓋を挿入し、前記取付手段が外れにくくすると共に、対向部の美観を保つことを特徴とする請求項１または３記載の宝飾品の取付構造。
【請求項５】
前記取付手段、及び前記装飾蓋の一部に採光のための開孔を設けたことを特徴とする請求項１、３または４記載の宝飾品の取付構造。
【考案の詳細な説明】
【技術分野】
【０００１】  本考案は、陶器、磁器、ガラス及び合成樹脂製の非弾性、または微弾性の容器、食器への宝飾品の取付構造及び取付方法に関する。
【背景技術】
【０００２】  近年、生活文化の向上により、装飾度の高い容器、食器が望まれてきており、ブームとなっている。
従来から、金属製の容器、食器に宝飾品を取付けることは、行われてきている。
最近は陶器、磁器、及び合成樹脂製の非弾性、または微弾性の容器、食器への宝飾品取付が望まれてきた。【０００３】  しかるに、陶器、磁器、ガラス及び合成樹脂製の非弾性、または微弾性の容器、食器に宝飾品を取付けようとすると、非弾性、または微弾性であるため、従来のカシメや圧着等の方法では、容器、食器が割れてしまうため、従来、宝飾品を取付けたものが製作されてなかった。
また、表面に接着する方法では、剥がれ易く、万一口内に入れば、大きな事故となってしまうため、陶器、磁器、及び合成樹脂製の非弾性、または微弾性の容器、食器に宝飾品を取付ける例がなかった。
【考案の開示】
【考案が解決しようとする課題】
【０００４】    本考案は、陶器、磁器、ガラス及び合成樹脂製の非弾性、または微弾性の容器、食器に宝飾品を容器、食器が破損されずに取付け、更に外れにくい宝飾品の取付構造及び取付方法を提供するものである。
【課題を解決するための手段】
【０００５】      陶器、磁器、ガラス、合成樹脂製等の非弾性、または、微弾性の容器、または食器に対し、その底面または壁面に、予め焼成前に開孔を設けて取付開孔を焼成するか、またはドリル、レーザ等の機械的開孔方法により取付開孔を設け、該取付開孔に宝飾品を保持した取付手段を挿入し、該取付開孔の内壁面と、取付手段の外周面との間を接着、またはゴム板、合成樹脂のテープ等の摩擦接合を併用した接合手段、またはネジ止め、噛合い爪による機械的接合等の手段により取付ることを特徴とする宝飾品の取付構造を提供する。【０００６】    陶器、磁器、ガラス、合成樹脂製等の非弾性、または、微弾性の容器、または食器に対し、その底面または壁面に、第１工程として、予め焼成前に開孔を設けて取付開孔を焼成する方法、またはドリル、レーザ等の機械的開孔方法により取付開孔を設け、第２工程として、該取付開孔の内壁面と、取付手段の外周面との間を接着、またはゴム板、合成樹脂のテープ等の摩擦接合を併用した接合方法、またはネジ止め、噛合い爪による機械的接合方法により接合し、
第３工程として宝飾品を保持した取付手段の側面部が、取付開孔３に嵌めこまれ接合されることを特徴とする宝飾品の取付方法を提供する。【０００７】  前記容器または食器が、白磁、青磁製の磁器、陶器、またはガラスであり、宝飾品がダイヤモンド、ルビー、サファイア、エメラルド等の宝石、または人造宝石や、真珠等の一般宝飾品として用いられるものであることを特徴とする前記記載の宝飾品の取付構造を提供する。【０００８】  前記取付手段の対向部に、装飾蓋を挿入し、前記取付手段が外れにくくすると共に、対向部の美観を保つことを特徴とする前記記載の宝飾品の取付構造を提供する。【０００９】  前記取付手段、及び前記装飾蓋の一部に採光のための開孔を設けたことを特徴とする前記記載の宝飾品の取付構造を提供する。
【考案の効果】
【００１０】  本考案の宝飾品の取付構造及び取付方法は、従来の盲点であった陶器、磁器、ガラス、合成樹脂製等の非弾性、または、微弾性の容器、または食器に対し、開口を設けて宝飾品を取付けるところに、従来にない飛躍的発想があり、したがって、次のような効果を発揮するものである。【００１１】  （１）陶器、磁器、ガラス、合成樹脂製等の非弾性、または、微弾性の容器、または食器に対し、カシメや圧着のような力をかけないため、容器や食器を破損することがない。【００１２】  （２）陶器、磁器、ガラス、合成樹脂製等の非弾性、または、微弾性の容器、または食器の表面に、接着等の方法で取付けると、熱やアルコール等の溶解成分により剥がれ易く、万一剥れると、口内に入ったりすると大事故になる危険性があったが、本考案によれば、外れにくく安全である。【００１３】  （３）例えば、ワイングラスに取付けると、ワインを飲むとき、ダイヤモンド等の宝飾品が輝き、素敵な雰囲気をかもし出し、ワインの味わいを高めることが出来る。
【考案を実施するための最良の形態】
【００１４】  本考案は、考案の効果に前述した如く、すなわち、現代の嗜好にマッチした宝飾品の取付構造及び方法を提供することができたのである。【００１５】  なお、本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。以下図面に基づいて詳細を説明する。
【実施例】
【００１６】  以下、本考案の実施例について、図面を参照しながら説明する。
本実施例は、図１は、容器、食器の例として、ワイングラス１に宝飾品を取付けた全体斜視図である。
ワイングラス１の容器、食器の容器部分の側面１ａ、または底面１ｂに宝飾品２を取付けた実施例である。【００１７】    図２は、図１の断面Ａ−Ａの断面詳細図を示しており、図４は、図１の断面Ａ−Ａの別の断面詳細図を示している。
図２に基づいて説明すると、ワイングラス１の容器部分の側面１ａ、または底面１ｂの壁には、取付開孔３が、予め焼成前に開孔を設け取付開孔を焼成するか、またはドリルやレーザ等の機械的開孔手段により開孔する。ただし機械的開孔手段の場合は開孔時に注意深く作業しないと割れやすく、又製作コストが若干高くなる場合もある。【００１８】    例えばダイヤモンド等の宝飾品２は、取付手段４の中央に設けられた窪み５に嵌め込まれ、押え爪６により保持固定されている。押え爪６は、宝飾品２の全周を押えても良いし、多数の単独爪により押えても良い。【００１９】    前記取付手段４の側面部４ａは、前記取付開孔３の内径未満の小径に作られ、取付開孔３の中に遊嵌されている。
前記取付手段４は、取付開孔３内に嵌め込まれ、額部４ｂにより、ワイングラス１の上面に接触して水密性を保持し、また下方に抜け落ちないように構成されている。【００２０】    前記取付開孔３と側面部４ａの隙間には、非水溶性接着材７等が充填され、取付開孔３の内面と側面部４ａとを接合する接合手段８を構成している。【００２１】    該接合手段８は、非水溶性接着材７のほか、弾性を有するゴム板や、合成樹脂テープを併用して、接着のほか摩擦接合により接合しても良い。
または、図４に示すごとく、ネジ止め、噛合い爪による機械的接合手段９により接合しても良い。【００２２】  前記取付手段４の底部には、本実施例では、凸部４ｃが設けられている。但し、該凸部４ｃは、必ずしも設けなくてもよい。【００２３】    ワイングラス１の容器部分の底面側には、装飾蓋１１が、同様に取付開孔３内に嵌め込まれ、額部１１ｂにより、ワイングラス１の底面に接触して水密性を保持し、また上方に移動しないように構成されている。【００２４】    前記取付開孔３と装飾蓋側面部１１ａの隙間には、非水溶性接着材７が充填され、取付開孔３の内面と装飾蓋側面部１１ａとを接合する接合手段８を構成している。
該接合手段８は、非水溶性接着材７のほか、弾性を有するゴム板や、合成樹脂テープを併用して、接着のほか摩擦接合により接合しても良い。または、図４に示すごとく、ネジ止め、噛合い爪による機械的接合手段９により接合しても良い。【００２５】  装飾蓋１１の中央部分には、凹部１１ｃが設けられており、前記凸部４ｃに遊嵌されている。同様に該凹部１１ｃは、必ずしも設けなくてもよい。【００２６】  又、更に外れ難くするために、凸部４ｃの外周と凹部１１ｃの内周に、接着等の接合手段８を設けるか、または図４に示す如くネジ、噛合い爪等の機械的接合手段１０を設けることで、前記と装飾蓋１１を強固に接合することが更に望ましい。【００２７】  また、図４に示す如く、取付手段４、及び装飾蓋１１に、採光用開孔１２を設け、更に、取付手段４に盗み部１３を設けることにより光の反射を増すことが出来る。
このように構成することで、特にダイアモンド等のように、光の反射により輝きを増す宝飾品２に対し、採光用開孔１２を設けることにより、最も美しくその効果を発揮させることが出来る。【００２８】  また、前記容器または食器は、白磁、青磁等の磁器、陶器またはガラスであり、  前記取付手段４及び装飾蓋１１は、腐食性のない金、銀、プラチナ、黄銅、洋銀やステンレス等の金属、または非水溶性で腐食性のない合成樹脂等で構成されている。
また宝飾品２は、ダイヤモンド、ルビー、サファイア、エメラルド等の宝石、または人造宝石や、真珠等の一般宝飾品として用いられるものであればいずれでも良い。
特に白磁に対しては、ダイアモンドが、デザイン的に最もマッチしている。【００２９】    次に本考案が適用される効果的寸法としては、ワイングラス１の壁面の厚さＴは、通常Ｔ＝１．５〜６．０ｍｍである。それに対し、宝飾品２の相当直径Ｄは、０．５〜１０ｍｍの範囲で適用される。
厚さＴに関しては、１．５ｍｍより薄すぎると、割れやすく開孔に適さないからである。また、６．０ｍｍより厚すぎると相対的に容器サイズが大きくなり、本考案の装飾的演出的効果を与える容器、食器の適用範囲を外れるためである。
また、宝飾品２の相当直径Ｄに関しては、Ｄ＝０．５ｍｍ未満では、小さすぎて取付が困難なことと、視覚効果が薄れ演出効果が発揮できない。
Ｄ＝１０ｍｍ以上では、大きすぎて取付が難しく外れやすくなることと、宝飾品２が極めて高価となり、実用的でないからである。【００３０】  以上のように構成することにより、宝飾品２は、ワイングラス１等の容器、食器を破損することなく取付が可能になると共に、容器内の液体等が、漏れ出ることなく保有することが出来るのである。【００３１】  ワイングラス１の側面１ａに設けた場合は、ワイングラス１を手にとって、正面から見たときの雰囲気を高める演出効果を与えるものである。【００３２】  またワイングラス１の底面１ｂに設けた場合は、ワイングラス１を手にとって、ワインを飲むときの雰囲気を高める演出効果を与えるものである。
宝飾品２の取付位置は、自由に選ぶことができ、また何箇所に設けても良い。【００３３】  図３は、取付方法を示した分解断面図である。
第１工程として、ワイングラス１等の容器、食器の壁面に、予め焼成前に開孔を設けて取付開孔を焼成するか、またはドリル、レーザ等の機械的開孔方法により取付開孔を設け、第２工程として、取付開孔３の内面に非水溶性接着材７、または弾性を有するゴム板や、合成樹脂テープを併用して、接着のほか摩擦接合を併用する接合手段８を設けるか、またはネジ止め、噛合い爪による機械的接合手段９により接合する、
第３工程として宝飾品２を保持した取付手段４の側面部４ａが、取付開孔３に嵌めこまれ接合される。【００３４】  更に加えて、第４工程としては、装飾蓋１１に対しても、同様に取付開孔３の内面に非水溶性接着材７、または弾性を有するゴム板９や、合成樹脂テープ１０を併用して、接着のほか摩擦接合を併用する接合手段８を設けるか、またはネジ止め、噛合い爪による機械的接合手段９により、装飾蓋１１が取付開孔３に嵌めこまれ接合される。【００３５】  又、更に外れ難くするために、凸部４ｃの外周と凹部１１ｃの内周に、接着等による接合手段８または、ネジ、噛合い爪による機械的接合手段１０により、前記取付手段４と装飾蓋１１を強固に接合しても良い。
このように行うことにより、容器や食器の破損を招くことなく、容易に宝飾品を取付けることが出来るのである。【００３６】  図５は、容器、食器の例として、お猪口１４に宝飾品を取付けた例を示す。【００３７】    ［変形実施例］
この考案は次のように変形して実施することを含むものである。
（１）前記宝飾品２、取付手段４及び装飾蓋１１の外形形状は、円形だけでなく楕円形、卵形の他、矩形等、６角形、８角形等の多角形でも良く、さまざまなデザインを施すことが出来る。【００３８】  （２）取付箇所は、１箇所以上何箇所に設けてもよく、その配置で、ハート形、クロス形等のデザイン形状としても良い。【００３９】  （３）容器、食器の材料として、木材、特に紫檀、黒檀等の硬質木材や、ベークライト等を用いても良い。【００４０】  （４）取付開孔３は、図示の実施例では、貫通開孔を示しているが、肉厚の厚い場合は、非貫通開孔としても良い。
【産業上の利用可能性】
【００４１】    本考案の活用例としては、以上説明したように、従来の市場にない、装飾性を高めたワイングラス等の容器、食器を提供することが出来るため、新商品として市場の活性化に大きく貢献することができる。
【図面の簡単な説明】
【００４２】
【図１】ワイングラスに宝飾品を取付けた全体斜視図。
【図２】図１の断面Ａ−Ａの断面詳細図。
【図３】取付方法を示した分解断面図。
【図４】図１の断面Ａ−Ａの別の断面詳細図。
【図５】お猪口１２に宝飾品を取付けた全体斜視図。
【符号の説明】
【００４３】  １      ワイングラス
１ａ    側面
１ｂ    底面
２      宝飾品
３      取付開孔
４      取付手段
４ａ    側面部
４ｂ    額部
４ｃ    凸部
５      窪み
６      押え爪
７      非水溶性接着材
８      接合手段
９、１０  機械的接合手段
１１    装飾蓋
１１ａ  側面部
１１ｂ  額部
１１ｃ  凹部
１２    採光用開孔
１３    盗み部
１４    お猪口
【図１】
0003122870.tif 000003
【図２】
0003122870.tif 000004
【図３】
0003122870.tif 000005
【図４】
0003122870.tif 000006
【図５】
0003122870.tif 000007